(57)【特許請求の範囲】
【請求項１】
形成されるチューブの周方向に一軸延伸されたプラスチックフィルムの延伸方向と交叉する向きに形成された、線状に点在する大径の孔（１１）と、その隣合う前記大径の孔（１１）同士の間に点在する、前記大径の孔（１１）より小さな小径の孔（１２）との列からなるミシン目と、
前記ミシン目に沿ってその両側に形成された堤状厚肉部（１５）と、
からなる切取り線を有し、
前記堤状厚肉部（１５）の肉厚は、前記小径の孔（１２）の両側よりも前記大径の孔（１１）の両側で厚く、且つ隣合う前記各孔の孔間の両側よりも前記各孔の両側で厚くなっていることを特徴とする耐破袋性・切取り性に優れたシュリンクフィルム。
【請求項２】
前記切取り線は、前記プラスチックフィルムの延伸方向と交叉する向きに、レーザービームの照射量を変化させながらフィルム表面を走査することにより形成された請求項１に記載のシュリンクフィルム。
【請求項３】
前記堤状厚肉部（１５）の肉厚が、１．１ｔ10〜５ｔ10（ｔ10：フィルム原肉厚）である請求項１又は２に記載のシュリンクフィルム。
【請求項４】
前記ミシン目を挟んで向い合う前記堤状厚肉部（１５）同士の間隔が、１．５ｍｍ以下である請求項１〜３のいずれか１項に記載のシュリンクフィルム。
【発明の詳細な説明】
【技術分野】
【０００１】
本発明は、シュリンクフィルムの切取り線の改良に係り、特にシュリンクチューブ（シュリンクラベル、キャップシール等）として使用される場合の耐破袋性を高め、ボトル等への装着時や流通過程等における切取り線を起点とするチューブの破断を防止すると共に、ボトルの開封時および使用後におけるチューブの分離等に要求される良好な切取り性を具備せしめたものである。
【背景技術】
【０００２】
シュリンクチューブは、横一軸延伸された熱収縮性プラスチックフィルム（シュリンクフィルム）の延伸方向をチューブの周方向にして成形され、ボトル等の容器のシュリンクラベル、キャップシール等として広く使用されている。シュリンクチューブには切取り線を設けるのが一般である。切取り線は、フィルムの延伸方向（チューブの周方向）と交叉する向きに設けられる。図１６は、切取り線付きシュリンクチューブ（２）をボトル（３）の胴部にラベルとして装着した例を示している。図のチューブ（２）は、１条の切取り線(（１０）を有する例であるが、２条の切取り線を平行に形成してテープ状に切取るようにしたチューブも使用されている。
【０００３】
従来、切取り線（１０）は、打ち抜き機（ダイロール，打ちミシン等）で刃物（トムソン刃，回転刃等）をフィルムに押付けることによりスリット（刃物の打ち抜き痕）の列として形成されている。図１５はスリットのミシン目として形成された切取り線を示している。同図（ａ）の切取り線は、比較的長いスリット（１７）を一定間隔（例えばスリット長ｌ1：隙間ｌ2=３：１）で反復形成し、同図（ｂ）の切取り線は、短いスリット（１７）が細かいピッチ（例えばｌ1,ｌ2=0.5ｍｍ）で形成されている例である。
【発明の概要】
【発明が解決しようとする課題】
【０００４】
シュリンクチューブの切取り線（１０）は、耐破袋性と良好な切れ性とを要求される。耐破袋性は、ボトル等への装着工程（スチームヒータ等によるチューブの加熱収縮処理）、チューブ装着ボトルの流通過程（搬送や落下による衝撃を受ける場合がある）等における、切取り線を起点とする破断を防止するのに必要であり、切れ性はボトルの開封及びボトル使用後のラベル分離（ボトル/ラベルの分別回収）等に必要である。
【０００５】
しかるに、耐破袋性と切れ性とは相矛盾する特性であるため、従来のスリット（刃物の打抜き痕）からなる切取り線の場合、前記図１５(ａ)(ｂ)のように、スリット長さ、スリット間隔・ピッチ等を調節しても、上記の両特性を同時に充足せしめることは困難である。例えばスリット長さを大きく間隔を小さくすれば、切れ性は良くなるが、耐破袋性が悪くなる。逆にスリットを短く間隔を大きくすると、耐破袋性は強化されるものの、切取り性の低下を免れず、切取り途中で図１７に示すようにヨコ裂け（切取り方向のずれ）を生じ易く、チューブ全長に亘る切取りが困難となる。２条の切取り線を設けてテープ状に切取るようにした場合も同様であり、無理に引張るとテープがちぎれてしまう。
【０００６】
本発明は上記に鑑み、容器への装着工程・商品流通過程等におけるチューブ破断の防止に必要な耐破袋性と、ボトルの開封・使用済みボトルのラベル分離（ボトル/ラベルの分別回収）等に要求される良好な切れ性とを兼備せしめることを目的としてなされたものである。
【課題を解決するための手段】
【０００７】
本発明に係るシュリンクフィルムは、形成されるチューブの周方向に一軸延伸されたプラスチックフィルムの延伸方向と交叉する向きに形成された、線状に点在する大径の孔（１１）と、その隣合う前記大径の孔（１１）同士の間に点在する、前記大径の孔（１１）より小さな小径の孔（１２）との列からなるミシン目と、前記ミシン目に沿ってその両側に形成された堤状厚肉部（１５）と、からなる切取り線を有し、前記堤状厚肉部（１５）の肉厚は、前記小径の孔（１２）の両側よりも前記大径の孔（１１）の両側で厚く、且つ隣合う前記各孔の孔間の両側よりも前記各孔の両側で厚くなっていることを特徴としている。また、前記堤状厚肉部（１５）の肉厚が、１．１ｔ10〜５ｔ10（ｔ10：フィルム原肉厚）であり、前記ミシン目を挟んで向い合う前記堤状厚肉部（１５）同士の間隔が、１．５ｍｍ以下であることが好適である。
【０００９】
第１の発明（請求項１）の切取り線（１０）は、大径の孔（１１）が分散形成され、その隣合う孔（１１）（１１）の間に点在する孔（１２）が小径である（小径孔はチューブ装着工程=加熱収縮処理=での拡大変形が少ない）ことの効果として、チューブ装着工程等における耐破袋性が高く、またチューブを切取る場合には、孔（１１）と（１１）の間に点在する小径孔（１２）によって切取り方向が誘導され、切取り線（１０）の全長に亘りスムースに切取ることができる。
【００１１】
切取り線は、ミシン目に沿って延在する堤状厚肉部（１５）の厚肉効果としてチューブ切取りにおけるヨコ裂け（図１７）が防止されることにより、より良好な切れ性を備えている。
【発明の効果】
【００１２】
本発明の切取り線付きシュリンクフィルムは、孔径の異なる孔の反復混在、または孔とハーフカットの混在したミシン目からなる形態を有することにより、ボトル等に対する装着及び流通過程での破断防止に必要な耐破袋性を備えていると共に、ボトル開封（キャップシールとして）や使用後のラベル分離（ボトル/ラベルの分別回収）に要求される良好な切取り性を具備している。
【図面の簡単な説明】
【００１３】
【図１】本発明の切取り線の例を示す平面図である。
【図２】本発明の切取り線の例を示す平面図である。
【図３】本発明の切取り線の例を示す平面図である。
【図４】切取り線の参考例を示す平面図である。
【図５】切取り線の参考例を示す平面図である。
【図６】切取り線の参考例を示す平面図である。
【図７】本発明の切取り線の例を示す平面図である。
【図８】図７のＡ1−Ａ1矢視断面図である。
【図９】本発明の切取り線の例を示す平面図である。
【図１０】図９のＡ2−Ａ2矢視断面図である。
【図１１】図７及び図９のＢ−Ｂ矢視断面図である。
【図１２】本発明の切取り線の断面形態の寸法説明図である。
【図１３】本発明の切取り線の形設態様を示す外観斜視図である。
【図１４】本発明の切取り線の形設態様を示す外観斜視図である。
【図１５】スリットからなる従来の切取り線を示す平面図である。
【図１６】シュリンクラベルをボトルに装着した状態を示す外観斜視図である。
【図１７】シュリンクラベルの切り取り途中に生じるヨコ裂けを示す模式的説明図である。
【発明を実施するための形態】
【００１４】
以下、本発明について実施例を示す図面を参照して具体的に説明する。図１〜図３は、本発明に係る切取り線のミシン目の形態を示している。図１は、大径孔（１１）と小径孔（１２）とが交互に点在し、孔径が「-大-小-大-小-」の反復パターンを有している例、図２は、大径孔（１１）（１１）の間に２つの小径孔（１２）が点在する「-大-小-小-大-」の反復パターン、図３は、孔径を異にする２種の小径孔（１２1）（１２2）が大径孔（１１）（１１）の間に点在して「-大-中-小-中-大-」の反復パターンをなしている例である。孔径の配列パターンはこのほか、「-大-小-中-小-大-」、「-大-中-小-小-中-大」等の種々の形態を採用することができる。
【００１５】
図４〜図６は、参考例である切取り線（１０）のミシン目を示している。このミシン目は、線状に点在する孔（１３）とハーフカット（１４）とで形成されている。図４のミシン目は、孔（１３）と（１３）との間にハーフカット（１４）が連続的に延在し、隣合う孔（１３）同士がハーフカット（１４）でむすばれた形態を有している。
【００１６】
図５,図６のミシン目は、ハーフカット（１４）が断続形成されている例である。図５のハーフカット（１４）は、その中間位に断点（ハーフカットの途切れ）（１４0）を有し、図６におけるハーフカット（１４）は、ハーフカット（１４1）（孔１３に連通している）と中間位のハーフカット（１４2）とからなる２個所の断点（１４0）（１４0）が設けられた不連続形態を有している。これらのミシン目形態は、フィルム材種等に応じて適宜採択される。例えば、切れ性の低い材種のフィルムに対しては、図４のように隣合う孔（１３）の間に連通したハーフカット（１４）を形成し、他方耐破袋性の低いフィルムに対しては、図５, 図６のようにハーフカット（１４）を断続させた形態を採用するとよい。
【００１７】
図７および図９は、ミシン目と堤状厚肉部（１５）とからなる切取り線の例を示している。各図中、鎖線（１５T）は堤状厚肉部（１５）の頂部、破線（１５B）はその裾縁である。図８は図７のA1-A1矢視断面、図１０は図９のA2-A2矢視断面、図１１は図７,図８のB-B矢視断面をそれぞれ示している。
【００１８】
図７の切取り線（１０）は、前記図１のミシン目（大径孔11と小径孔12とが混在した孔の列）とその両側に延在する堤状厚肉部（１５）とからなり、図９の切取り線（１０）は、前記図４のミシン目（孔13とハーフカット14とからなる）とその両側の堤状厚肉部（１５）とからなる。堤状厚肉部（１５）はフィルム（１０）の表裏両面に膨出してミシン目に沿って延在している。なお、これらの切取り線（１０）は後述するレーザービーム照射により形成されている。
【００１９】
図７〜図１１に示したように堤状厚肉部（１５）を設けることにより、切取り線の切れ性が高められる。これは、堤状厚肉部（１５）の厚肉効果としてミシン目の両側が強化されていることによるのであり、堤状厚肉部（１５）の存在により切取り途中のずれ（図１７のヨコ裂け）が防止され、ミシン目に沿って切取りが進むようにガイドされる。
【００２０】
切取り線（１０）のミシン目を構成する大径の孔（１１）と小径の孔（１２）、または孔（１３）とハーフカット（１４）、およびそれらのミシン目の両側に形成される堤状厚肉部（１５）等の諸元サイズは、フィルムの材種・肉厚等に応じて適宜設定される。シュリンクラベルの一般的なフィルム材（横一軸延伸されたポリエステル,ポリプロピレン，ポリスチレン等、肉厚約10〜150μｍ）についてその例を以下に示す。
【００２１】
まず、図１，図２のミシン目（大径孔11と小径孔12からなる）については、大径孔（１１）の孔径（ｄ11）：約200〜800μｍ、小径孔（１２）の孔径：約0.2×ｄ11〜0.7×ｄ11、孔間距離（隣合う孔同士の縁間の幅）：約0.3〜5.0ｍｍとする例が挙げられる。その小径孔（１２）として、図３のように２種の孔(１２1)(１２2)を混在させる場合、孔(１２1)の孔径：約0.5×ｄ11〜0.7×ｄ11、孔(１２2)の孔径：約0.2×ｄ11〜0.4×ｄ11とされる。
【００２２】
その好適な具体例を挙げれば、肉厚（ｔ10）40〜60μｍの横一軸延伸されたポリエステルフィルムにおいて、大径孔（１１）の孔径（ｄ11）：約200〜400μｍ、小径孔（１２）の孔径：約50〜150μｍ、孔間距離：約0.3〜1.5ｍｍである。小径孔（１２）を２種の孔(１２1)(１２2)の混在とする場合の各孔(１２1)(１２2)は、約50〜150μmの範囲内で大小異なる孔径をもたせて混在させればよい。
【００２３】
他方、図４〜図６のミシン目（孔13とハーフカット14とからなる）については、例えば孔（１３）の孔径（ｄ13）：約200〜800μｍ、孔間距離（隣合う孔同士の縁間の幅）：約0.3〜2.0ｍｍ、ハーフカット（１４）のカット深さ(ｃ14)（図１２（ａ）参照）：約1/2ｔ10〜1/3ｔ10（ｔ10=フィルム原肉厚）である。その好適な具体例として、横一軸延伸されたポリエステルフィルム（肉厚ｔ1040〜60μｍ）において、孔（１３）の孔径（ｄ13）：約200〜400μｍ、孔間距離：約0.3〜1.5ｍｍ、ハーフカット深さ（ｃ14）：約1/2ｔ10〜1/3ｔ10とする例が挙げられる。ハーフカット（１４）に断点（140）を設ける場合の断点の幅（ハーフカットの向い合う先端同士の離隔幅）は、例えば約0.1〜1.0ｍｍである。
【００２４】
また、図７〜図１１のように堤状厚肉部（１５）を有する切取り線（１０）における堤状厚肉部（１５）の肉厚（膨出厚さ）(ｔ15)は、ミシン目の切れ性改善効果（切取り途中でのヨコ裂け防止）を明瞭ならしめるために、約１．１ｔ10〜５ｔ10（ｔ10：フィルム原肉厚）であるのが好ましく、ミシン目を挟んで向い合う堤状厚肉部（１５）（１５）の間隔（対向幅）ｗ15は約１．５ｍｍ以下であるのが適当である。
【００２５】
なお、孔（１１）(１２,１２1,１２2)（１３）等は必ずしも真円である必要はない。後述のレーザービーム照射により形成される孔は、走査方向（ミシン目方向）に若干伸びた長円形（その長径/短径の比は約3以下）を呈する場合がある。この場合は長径（ミシン目方向）と短径（ミシン目に直交する向き）の算術平均値を孔径としてミシン目を設計すればよい。また切取り線の前記諸元の数値は、チューブをボトル等に装着（加熱処理）する際の熱収縮変形に伴って若干変化し、例えば孔径は拡大する場合が多い。従って容器に装着した状態における切取り線の形態は上記数値とやや異なる。
【００２６】
本発明の切取り線は、レーザービーム照射により効率よく形成することができる。フィルム表面の微小領域にレーザービームを照射すると、照射された微小領域は瞬時に溶解又は蒸発して孔(11)〜(13)、ハーフカット（14）が形成される。レーザーを断続照射しながらフィルム表面に沿って走査することにより、前記図１〜図６等に示したミシン目からなる切取り線を形成することができる。
【００２７】
横一軸延伸された熱収縮性フィルムに、延伸方向と交叉する方向にレーザーを断続照射すると、ミシン目の両側に堤状厚肉部（１５）が延在する切取り線（図７〜図１１）を形成することができる。ミシン目の形成と並行して堤状厚肉部（１５）が形成されるのは、レーザー照射の熱影響により生じるミシン目近傍の局所的な熱収縮応力及び表面張力の作用によると考えられる。レーザーはアルゴンレーザー,ＹＡＧレーザー等でもよいが、炭酸ガスレーザーは高エネルギーを得易く、かつシュリンクチューブとして多用されているポリエステルフィルム等に吸収され易い等の点から、本発明の切取り線の形成に好適である。
【００２８】
レーザービーム照射による切取り線の形成は、フィルムの連続移送ラインにおいて効率よく行なうことができる。例えば、センターシールライン（長尺帯状フィルムをロールから繰り出しながらフィルムの両端縁を重ね接着するチューブ成形工程）において、一定の移送速度（例えば5-200ｍ/分）で送られるフィルムの表面に対し、ビーム出力のＯＮ/ＯＦＦないし出力の高/低の繰り返しにより照射量を周期的に変化させながら走査することにより、上述した各種形態を有する切取り線（１０）を形成することができる。
【００２９】
切取り線（１０）の孔（１１）（１２）（１３）の孔径やハーフカット（１４）のカット深さ、孔間距離、および堤状厚肉部（１５）の形状（肉厚,対向幅）等の形態は、レーザービームの照射条件（出力の高/低ないしON/OFFの反復周期,走査速度=フィルム移送速度, ビーム焦点の深浅等）により任意に調整することができる。一般的なシュリンクフィルム（ポリエステル系樹脂,ポリプロピレン系樹脂，ポリスチレン系樹脂等、肉厚約10〜150μｍ）に対し、移送速度約20〜200ｍ/分の連続移送下に、例えば炭酸ガスレーザー装置を使用して行なう場合における、レーザービームの出力制御は約５〜100Ｗ程度の範囲内で行なえばよい。
【００３０】
本発明の切取り線が形成されるシュリンクフィルム（横一軸延伸フィルム）は、フィルムのヨコ方向（形成されるチューブの周方向）に一軸延伸されたフィルムのほか、ヨコ/タテ方向の二軸延伸フィルムであって、二軸の延伸比により実質的に横一軸延伸フィルムとみなせるものを包含する。この場合、ヨコ方向の延伸倍率がタテ方向の２倍以上（例えば２〜７倍）で、タテ方向延伸倍率は約１．５以下である。フィルムの熱収縮率（ヨコ方向）は、レーザー照射における堤状厚肉部（１５）の効果的な形成のために約３０％以上（90℃温水×10秒）であるのが好ましい。このような物性を有するフィルムの具体例として、「スペースクリーン（登録商標）S7553」「同S7570」（東洋紡績（株））等が挙げられる。
【００３１】
本発明のシュリンクフィルムの切取り線は、従来のシュリンクフィルムのそれと同様に、チューブの形態（キャップシール,シュリンクラベル等）、装着対象（ボトル等の容器）の形状・装着態様などに応じて、図１３のように一条の切取り線として形成され、あるいは図１４のようにテープ条に切取るための２条の切取り線として形成される。図１３（１条の切取り線）のミシン目は、孔径の異なる孔（１１）（１２）の列からなり、図１４（２条の切取り線）のミシン目は、孔（１３）とハーフカット（１４）からなる形態を有しているが、これは１例であり、前者（１条の切取り線）を、孔（１３）とハーフカット（１４）からなるミシン目とし、後者（２条の切取り線）を孔径の異なる孔（１１）（１２）の列からなるミシン目として形成する等、ミシン目の形態の選択・設計は自由である。
【符号の説明】
【００３２】
１：シュリンクフィルム、２：シュリンクチューブ、３：ボトル、１０：切取り線、１１：ミシン目の孔、１２（１２1，１２2）：ミシン目の孔、１３：ミシン目の孔、１４，１４1，１４2：ハーフカット、１４0：ハーフカットの断点（不連続部）、１５：堤状厚肉部、１７：スリット。
【図１】
0005514157.tif 000002
【図２】
0005514157.tif 000003
【図３】
0005514157.tif 000004
【図４】
0005514157.tif 000005
【図５】
0005514157.tif 000006
【図６】
0005514157.tif 000007
【図７】
0005514157.tif 000008
【図８】
0005514157.tif 000009
【図９】
0005514157.tif 000010
【図１０】
0005514157.tif 000011
【図１１】
0005514157.tif 000012
【図１２】
0005514157.tif 000013
【図１３】
0005514157.tif 000014
【図１４】
0005514157.tif 000015
【図１５】
0005514157.tif 000016
【図１６】
0005514157.tif 000017
【図１７】
0005514157.tif 000018